(57)【特許請求の範囲】
【請求項１】
第１の水槽と、
第２の水槽と、
第３の水槽と、
第４の水槽と、
前記第１の水槽に設けられる第１の電極と、
前記第２の水槽に設けられ、前記第１の電極に対応する第２の電極と、
前記第３の水槽に設けられる第３の電極と、
前記第４の水槽に設けられ、前記第３の電極に対応する第４の電極と、
前記第３の水槽と前記第４の水槽とを区画するイオン交換膜と、
前記第１の水槽で電気分解された水を前記第３の水槽および前記第４の水槽に供給することなく取り出すための第１の水路と、
前記第２の水槽と前記第４の水槽とを連通する第１の連通路とを備え、
前記第４の水槽は原水を供給する原水路を接続可能であり、
前記第３の電極および前記第４の電極は前記第４の電極の電位が前記第３の電極の電位よりも高くなるように電圧が与えられる
水処理装置。
【請求項２】
前記第３の水槽は原水を供給する原水路を接続可能である
請求項１に記載の水処理装置。
【請求項３】
前記第１の連通路は前記第２の水槽と前記第３の水槽とをさらに連通する
請求項１または２に記載の水処理装置。
【請求項４】
前記第２の水槽で電気分解された水を前記第３の水槽および前記第４の水槽に供給することなく取り出すための第２の水路をさらに備える
請求項１〜３のいずれか一項に記載の水処理装置。
【発明の詳細な説明】
【技術分野】
【０００１】
本発明は水処理装置に関する。
【背景技術】
【０００２】
アルカリ性水が身体の健康の維持および増進に寄与することが知られている。例えば、ｐＨが９．５程度のアルカリ性水は、胃腸の状態の改善に効果がある。ｐＨが１０よりも高いアルカリ性水は料理のあく抜き等に用いられる。水処理装置はそうしたアルカリ性水を生成可能な装置である。これはアルカリイオン整水器等と称されることもある。
【０００３】
従来の水処理装置は、陽極が設けられた陽極槽、陰極が設けられた陰極槽、陽極槽と陰極槽とを区画する隔膜、および、これらの槽のそれぞれに原水を供給する供給通路を備える。陽極および陰極に電圧が与えられた状態において、原水が陽極槽を通過することにより酸性水が生成され、原水が陰極槽を追加することによりアルカリ性水が生成される。
【０００４】
溶存水素濃度が高いアルカリ性水は老化および病気の原因と推測されている活性酸素の除去に寄与すると考えられている。従来の水処理装置を利用して溶存水素濃度が高いアルカリ性水を生成する方法の一例として、陰極槽における電気分解の進行の度合を高め、水素を多く発生させる方法が知られている。ただし、この方法によれば、アルカリ性水のｐＨがさらに上昇するため、飲用に適したアルカリ性水を生成しにくい。
【０００５】
特許文献１は上記課題を解決するための水処理装置の一例を開示している。この水処理装置は、陽極槽、陰極槽、および、隔膜等に加え、陽極槽において生成された酸性水が供給される第２の陽極槽、陰極槽において生成されたアルカリ性水が供給される第２の陰極槽、第２の陽極槽に設けられる第２の陽極、第２の陰極槽に設けられる第２の陰極、および、第２の陽極槽と第２の陰極槽とを区画するイオン交換膜を備える。第２の陰極槽では固体高分子膜（ＳＰＥ：Solid Polymer Electrolyte）法によりアルカリ性水が電気分解され、水素および水酸化物イオンが発生する。このため、第２の陰極槽に供給されたアルカリ性水の溶存水素濃度が発生した水素により高められる。一方、第２の陽極槽において生成された水素イオンがイオン交換膜を介して第２の陰極槽に移動することにより、第２の陰極槽に供給されたアルカリ性水のｐＨの上昇が抑えられる。
【０００６】
このように、上記水処理装置によれば、第２の陰極槽に供給されたアルカリ性水のｐＨの上昇が抑えられながら溶存水素濃度が高められることにより、溶存水素濃度が高く、かつ、飲用に適したアルカリ性水が生成される。
【先行技術文献】
【特許文献】
【０００７】
【特許文献１】特開２００５−４０７８１号公報
【発明の概要】
【発明が解決しようとする課題】
【０００８】
特許文献１の水処理装置によれば、アルカリ性水の生成にともない生成される次亜塩素酸の濃度が高い強酸性水が陽極槽に供給される。このため、陽極槽およびイオン交換膜の寿命を縮めるおそれがある。
【課題を解決するための手段】
【０００９】
本発明に従う水処理装置の一形態は、第１の水槽と、第２の水槽と、第３の水槽と、第４の水槽と、前記第１の水槽に設けられる第１の電極と、前記第２の水槽に設けられ、前記第１の電極に対応する第２の電極と、前記第３の水槽に設けられる第３の電極と、前記第４の水槽に設けられ、前記第３の電極に対応する第４の電極と、前記第３の水槽と前記第４の水槽とを区画するイオン交換膜と、前記第１の水槽で電気分解された水を前記第３の水槽および前記第４の水槽に供給することなく取り出すための第１の水路と、前記第２の水槽と前記第４の水槽とを連通する第１の連通路とを備える。
【発明の効果】
【００１０】
溶存水素濃度が高いアルカリ性水の生成が可能であり、構成要素が化学的に損傷しにくい水処理装置を提供できる。
【図面の簡単な説明】
【００１１】
【図１】第１の実施形態の水処理装置の全体の模式図。
【図２】第２の実施形態の水処理装置の全体の模式図。
【図３】第３の実施形態の水処理装置の全体の模式図。
【図４】第４の実施形態の水処理装置の全体の模式図。
【発明を実施するための形態】
【００１２】
（水処理装置が取り得る形態の一例）
〔１〕本発明に従う水処理装置の一形態は、第１の水槽と、第２の水槽と、第３の水槽と、第４の水槽と、前記第１の水槽に設けられる第１の電極と、前記第２の水槽に設けられ、前記第１の電極に対応する第２の電極と、前記第３の水槽に設けられる第３の電極と、前記第４の水槽に設けられ、前記第３の電極に対応する第４の電極と、前記第３の水槽と前記第４の水槽とを区画するイオン交換膜と、前記第１の水槽で電気分解された水を前記第３の水槽および前記第４の水槽に供給することなく取り出すための第１の水路と、前記第２の水槽と前記第４の水槽とを連通する第１の連通路とを備える。
【００１３】
上記水処理装置において、第１の電極の電位が第２の電極の電位よりも高くなるように第１の電極および第２の電極に電圧が与えられた場合、第１の水槽において酸性水が生成され、第２の水槽においてアルカリ性水が生成される。第１の水路が水処理装置に含まれることにより、その酸性水が第３の水槽および第４の水槽に供給されないため、第３の水槽および第４の水槽が化学的に損傷するおそれが低減する。
【００１４】
〔２〕前記水処理装置の一例によれば、前記第３の水槽は原水を供給する原水路を接続可能である。
上記水処理装置によれば、第４の水槽に供給されたアルカリ性水が電気分解されることにより、そのアルカリ性水の溶存水素濃度が高められる。また、第３の水槽に供給された原水が電気分解されることにより発生した水素イオンがイオン交換膜を通過して第４の水槽に供給されることにより、第４の水槽を通過するアルカリ性水のｐＨの増加が抑えられる。この装置構成によれば、第２の水槽において生成されたアルカリ性水の全部を第４の水槽に供給できるため、高い溶存水素濃度を有するアルカリ性水の生成に要する時間を短縮できる。
【００１５】
〔３〕前記水処理装置の一例によれば、前記第４の水槽は原水を供給する原水路を接続可能である。
上記水処理装置によれば、第３の水槽および第４の水槽に原水を供給し、第４の電極の電位が第３の電極の電位よりも高くなるように第３の電極および第４の電極に電圧が与えられることにより、第４の水槽において酸性水が生成される。これにより、第４の水槽に付着しているスケールが酸性水に溶解するため、第４の水槽に付着したスケールを除去できる。
【００１６】
〔４〕前記水処理装置の一例によれば、前記第１の連通路は前記第２の水槽と前記第３の水槽とをさらに連通する。
上記水処理装置によれば、第４の水槽に供給されたアルカリ性水が電気分解されることにより、そのアルカリ性水の溶存水素濃度が高められる。また、第３の水槽に供給されたアルカリ性水が電気分解されることにより発生した水素イオンがイオン交換膜を通過して第４の水槽に供給されることにより、第４の水槽を通過するアルカリ性水のｐＨの増加が抑えられる。この装置構成によれば、第１の水槽および第２の水槽と第３の水槽および第４の水槽との間に第１の連通路とは別の水路を設ける必要がないため、水路に関する構成を簡素化できる。
【００１７】
〔５〕前記水処理装置の一例によれば、前記第２の水槽で電気分解された水を前記第３の水槽および前記第４の水槽に供給することなく取り出すための第２の水路をさらに備える。
【００１８】
アルカリ性水の生成時間が長くなるにつれて第４の水槽に炭酸カルシウムおよび水酸化マグネシウム等のスケールが付着しやすくなる。上記水処理装置によれば、第２の水路を利用してアルカリ性水を取り出すことにより、第４の水槽にスケールが付着することを抑制できる。
【００１９】
（実施の形態１）
図１に示されるように、水処理装置１０は、隔膜３９で隔離された第１の水槽３１および第２の水槽３５を有するアルカリ水槽３０、および、イオン交換膜４９で区画された第３の水槽４１および第４の水槽４５を有する水素水槽４０を備える。アルカリ水槽３０および水素水槽４０は、ケース２０に格納されている。
【００２０】
水処理装置１０の外部には、蛇口１および流路切替器２が設けられる。蛇口１は水道水を吐出する。流路切替器２は、蛇口１に取り付けられ、使用者の操作に応じて給水口１１に水道水を給水する。
【００２１】
水処理装置１０は、ケース２０の外部に向けて突出する給水口１１、第１の吐水口１２、第２の吐水口１３、および、第３の吐水口１４を備える。給水口１１は、水処理装置１０の内部に水道水を給水する。第１の吐水口１２は、水処理装置１０から水道水よりもｐＨが高いアルカリ性水、または、アルカリ性水素水を吐水する。アルカリ性水素水は、アルカリ性水よりも溶存水素濃度が高い。第２の吐水口１３および第３の吐水口１４は、水処理装置１０から水道水よりもｐＨが低い酸性水を吐水する。
【００２２】
ケース２０は、浄水部２１、第１の電源２４、第２の電源２５、第１の切替器２６、第２の切替器２７、原水路５０、第１の連通路５１、第１の水路５２、第１の給水路５３、第１の管６１、および、第２の管６２を格納する。浄水部２１は、活性炭式およびろ過膜式の浄水器であり、水道水を浄化する。浄水部２１により浄化された水である原水は、原水路５０を通過してアルカリ水槽３０に供給される。浄水部２１は、活性炭部２２およびろ過膜部２３を備える。活性炭部２２は活性炭を有し、水道水から有機物、臭い、および、残留塩素等を除去する。ろ過膜部２３は、一例として、ポリエチレン製の中空糸膜を有し、活性炭部２２を通過した水から０．１マイクロメートル以上の粒子、雑菌、および、赤錆等を除去する。
【００２３】
第１の電源２４および第２の電源２５は、アルカリ水槽３０および水素水槽４０において電気分解を行うために使用される直流電源である。第１の電源２４の陽極２４Ｘの電位Ｖ１Ａは、第１の電源２４の陰極２４Ｙの電位Ｖ１Ｂよりも高い。第２の電源２５の陽極２５Ｘの電位Ｖ２Ａは、第２の電源２５の陰極２５Ｙの電位Ｖ２Ｂよりも高い。
【００２４】
第１の切替器２６は、第１の入力端子２６Ａ、第２の入力端子２６Ｂ、第１の切替スイッチ２６Ｅ、第１の出力端子２６Ｘ、および、第２の出力端子２６Ｙを備える。第１の入力端子２６Ａおよび第２の入力端子２６Ｂは、それぞれ第１の電源２４の陽極２４Ｘおよび陰極２４Ｙに電気的に接続される。第１の切替器２６は、第１の切替スイッチ２６Ｅの操作に応じて、第１の出力端子２６Ｘの電位および第２の出力端子２６Ｙの電位を電位Ｖ１Ａおよび電位Ｖ１Ｂに設定する。また、第１の切替スイッチ２６Ｅの操作により、通常モードおよび逆電モードに切替え可能である。通常モードでは、第１の出力端子２６Ｘの電位が電位Ｖ１Ａに設定され、第２の出力端子２６Ｙの電位が電位Ｖ１Ｂに設定される。逆電モードでは、第１の出力端子２６Ｘの電位が電位Ｖ１Ｂに設定され、第２の出力端子２６Ｙの電位が電位Ｖ１Ａに設定される。第１の切替スイッチ２６Ｅは、一例として、ケース２０の外面に設けられたボタンである。
【００２５】
第２の切替器２７は、第３の入力端子２７Ａ、第４の入力端子２７Ｂ、第２の切替スイッチ２７Ｅ、第３の出力端子２７Ｘ、および、第４の出力端子２７Ｙを備える。第３の入力端子２７Ａおよび第４の入力端子２７Ｂは、それぞれ第２の電源２５の陽極２５Ｘおよび陰極２５Ｙに電気的に接続される。第２の切替器２７は、第２の切替スイッチ２７Ｅの操作に応じて、第３の出力端子２７Ｘの電位および第４の出力端子２７Ｙの電位を電位Ｖ２Ａおよび電位Ｖ２Ｂに設定する。また、第２の切替スイッチ２７Ｅの操作により、通常モード、逆電モード、および、絶縁モードに切替え可能である。通常モードでは、第３の出力端子２７Ｘの電位が電位Ｖ２Ａに設定され、第４の出力端子２７Ｙの電位が電位Ｖ２Ｂに設定される。逆電モードでは、第３の出力端子２７Ｘの電位が電位Ｖ２Ｂに設定され、第４の出力端子２７Ｙの電位が電位Ｖ２Ａに設定される。絶縁モードでは、第３の入力端子２７Ａおよび第４の入力端子２７Ｂは、第２の電源の陽極２５Ｘおよび陰極２５Ｙと電気的に接続されない。第２の切替スイッチ２７Ｅは、一例として、ケース２０の外面に設けられたボタンである。
【００２６】
アルカリ水槽３０は、原水を第１の電源２４を用いて電気分解することによりアルカリ性水を生成する。アルカリ水槽３０は、第１の水槽３１、第２の水槽３５、および、隔膜３９を備える。第１の水槽３１は、第１の流入口３２、第１の流出口３３、および、第１の電極３４を備える。第２の水槽３５は、第２の流入口３６、第２の流出口３７、および、第２の電極３８を備える。第１の水槽３１および第２の水槽３５は一体に形成され、隔膜３９により隔離される。アルカリ水槽３０の形状は、第１の流入口３２および第２の流入口３６から第１の流出口３３および第２の流出口３７に水が通過しやすい形状が好ましい。第１の電極３４および第２の電極３８は、アルカリ水槽３０を通過する水との接触面積が広くなる形状、一例として、第１の水槽３１の内面および第２の水槽３５の内面に沿って伸びる形状が好ましい。第１の電極３４と第１の出力端子２６Ｘとは電気的に接続される。第２の電極３８と第２の出力端子２６Ｙとは電気的に接続される。
【００２７】
水素水槽４０は、アルカリ水槽３０で生成されたアルカリ性水を第２の電源２５を用いて電気分解することにより、アルカリ性水素水を生成する。水素水槽４０は、第３の水槽４１、第４の水槽４５、および、イオン交換膜４９を備える。第３の水槽４１は、第３の流入口４２、第３の流出口４３、および、第３の電極４４を備える。第４の水槽４５は、第４の流入口４６、第４の流出口４７、および、第４の電極４８を備える。第３の水槽４１および第４の水槽４５は一体に形成され、イオン交換膜４９により区画される。イオン交換膜４９は陽イオン交換膜であり、第３の水槽４１および第４の水槽４５中の水に含まれる陽イオンを通過させることができる。水素水槽４０の形状は、第３の流入口４２および第４の流入口４６から第３の流出口４３および第４の流出口４７に水が通過しやすい形状が好ましい。第３の電極４４および第３の出力端子２７Ｘは電気的に接続される。第４の電極４８および第４の出力端子２７Ｙは電気的に接続される。
【００２８】
第１の連通路５１は、第２の流出口３７と第４の流入口４６とを連通する。第１の水路５２は、第１の流出口３３と第３の吐水口１４とを連通する。第１の給水路５３は、ろ過膜部２３と第３の流入口４２とを連通する。原水路５０は、ろ過膜部２３と第１の流入口３２および第２の流入口３６とを連通する。第１の管６１は、第４の流出口４７と第１の吐水口１２とを連通する。第２の管６２は、第３の流出口４３と第２の吐水口１３とを連通する。
【００２９】
水処理装置１０のアルカリ水槽３０の動作について説明する。
蛇口１から吐出された水道水は、給水口１１を通過し、浄水部２１に供給される。浄水部２１により浄化された原水は、アルカリ水槽３０の第１の水槽３１および第２の水槽３５に供給される。
【００３０】
第１の切替器２６が通常モードのとき、第１の電極３４の電位はＶ１Ａ程度に設定され、第２の電極３８の電位はＶ１Ｂ程度に設定される。第１の電極３４の電位は第２の電極３８の電位よりも高いため、第２の水槽３５において、以下の［１］式に示される原水の還元反応が生じる。
【００３１】
【化１】
0006528326.tif 000002
［１］式は、原水中の水分子Ｈ２Ｏが還元され、水酸化物イオンＯＨ−および水素Ｈ２が生成されることを表した化学反応式である。電気分解が進むと水酸化物イオンＯＨ−の濃度が高まり、アルカリ性水が生成される。アルカリ水槽３０の電気分解は、アルカリ性水素水のｐＨが飲用に適した値、例えば、ｐＨが９．５程度となるように制御される。生成されたアルカリ性水は、第１の連通路５１を介して水素水槽４０の第４の水槽４５に送られる。
【００３２】
一方、第１の水槽３１において、以下の［２］式および［３］式に示される原水の酸化反応が生じる。
【００３３】
【化２】
0006528326.tif 000003
【００３４】
【化３】
0006528326.tif 000004
［２］式は、原水中の水分子Ｈ２Ｏが酸化され、水素イオンＨ＋および酸素Ｏ２が生成されることを表した化学反応式である。電気分解が進むと水素イオンＨ＋の濃度が高まり、酸性水が生成される。［３］式は原水中の塩化物イオンＣｌ−が酸化され塩素Ｃｌ２が生成されることを表した化学反応式である。［３］式の反応は［２］式の反応よりも優先する。生成された塩素Ｃｌ２により、以下の［４］式に示される化学反応が生じる。［４］式は、原水中の水分子Ｈ２Ｏおよび塩素Ｃｌ２から次亜塩素酸ＨＣｌＯおよび塩酸ＨＣｌが生成されることを表した化学反応式である。
【００３５】
【化４】
0006528326.tif 000005
水処理装置１０の水素水槽４０の動作について説明する。
【００３６】
第２の切替器２７が通常モードのとき、第３の電極４４の電位はＶ２Ａ程度に設定され、第４の電極４８の電位はＶ２Ｂ程度に設定される。第３の電極４４の電位は第４の電極４８の電位よりも高いため、第４の水槽４５においては、アルカリ性水の還元反応が生じる。すなわち［１］式に示される化学反応が生じる。また、第３の水槽４１においては、原水の酸化反応が生じる。すなわち［２］式〜［４］式に示される化学反応が生じる。
【００３７】
電気分解の進行度を大きくすると、第４の水槽４５において水素Ｈ２の発生量が増加し、アルカリ性水の溶存水素濃度を高めることができる。同時に、水酸化物イオンＯＨ−の濃度も増加し、ｐＨも増加する。このとき、第３の水槽４１で発生した水素イオンＨ＋が、イオン交換膜４９を通過し第４の水槽４５へ移動する。このため、水酸化物イオンＯＨ−の濃度の増加が抑制され、ｐＨの増加が抑制される。したがって、第４の水槽４５において、飲用に適したアルカリ性水素水を生成できる。
【００３８】
また、第２の切替器２７が絶縁モードのとき、第３の電極４４および第４の電極４８には電圧が加えられず、電気分解が行われない。このため、第４の水槽４５から、溶存水素濃度を高めないアルカリ性水を入手することができる。
【００３９】
また、アルカリ水槽３０において、［４］式に示されるように、第１の水槽３１にて生成される酸性水には、次亜塩素酸ＨＣｌＯが含まれている。生成された次亜塩素酸ＨＣｌＯを含む水は強酸性である。強酸性水は、水槽等の構成要素を化学的に損傷させるおそれがある。
【００４０】
水処理装置１０によれば、酸性水が第１の流出口３３から第１の水路５２を介して水処理装置１０の外部に吐出されるため、第３の水槽４１、第４の水槽４５、および、イオン交換膜４９が化学的に損傷するおそれが低減される。
【００４１】
また、第３の水槽４１に原水が供給されるため、第２の水槽３５において生成されたアルカリ性水の全部を第４の水槽４５に供給できる。このため、高い溶存水素濃度を有するアルカリ性水の生成に要する時間を短縮でき、生成に要する電力を削減できる。
【００４２】
（実施の形態２）
実施の形態２の水処理装置１０Ａは、実施の形態１の水処理装置１０と実質的に同じ構成を備える。実施の形態２では、第１の連通路５１および第１の給水路５３に替えて、第１の連通路５１Ａを備える点において、実施の形態１の構成と相違する。
【００４３】
図２に示されるとおり、第１の連通路５１Ａは、第１の分岐５１Ｘを含む。第１の連通路５１Ａは、第２の水槽３５と第３の水槽４１および第４の水槽４５とを連通する。第２の流出口３７から吐水された水は、第１の分岐５１Ｘにおいて第３の流入口４２および第４の流入口４６へ分けられてそれぞれに供給される。
【００４４】
第２の切替器２７が通常モードのとき、第３の水槽４１において、アルカリ水の酸化反応が生じる。すなわち［２］式〜［４］式に示される化学反応が生じる。第４の水槽４５において、実施の形態１と同様に、アルカリ性水の還元反応が生じる。すなわち［１］式に示される化学反応が生じる。
【００４５】
水処理装置１０Ａによれば、第１の水槽３１および第２の水槽３５と第３の水槽４１および第４の水槽４５との間に第１の給水路５３を設ける必要がないため、水路に関する構成を簡素化できる。
【００４６】
（実施の形態３）
実施の形態３の水処理装置１０Ｂは、実施の形態１の水処理装置１０と実質的に同じ構成を備える。実施の形態３では、第２の水路５４、第４の吐水口１５、および、第１の弁１７をさらに備える点において、実施の形態１の構成と相違する。
【００４７】
図３に示されるとおり、第４の吐水口１５はケース２０を貫通する。第１の弁１７は、第１の連通路５１、第２の水路５４、および、第４の流入口４６を連通する。第２の水路５４は、第１の弁１７および第４の吐水口１５を連通する。第１の弁１７は、第１の連通路５１から第４の流入口４６、および、第１の連通路５１から第２の水路５４のいずれかに流路を切替可能である。
【００４８】
アルカリ性水の生成時間が長くなるにつれて、第４の水槽４５に炭酸カルシウムおよび水酸化マグネシウム等のスケールが付着しやすくなる。水処理装置１０Ｂによれば、第２の切替器２７を絶縁モードに設定し、第２の水路５４を利用してアルカリ性水を取り出すことにより、第４の水槽４５にスケールが付着することを抑制できる。
【００４９】
（実施の形態４）
実施の形態４の水処理装置１０Ｃは、実施の形態１の水処理装置１０と実質的に同じ構成を備える。実施の形態４では、第２の給水路５６および第２の弁１８をさらに備える点において、実施の形態１の構成と相違する。
【００５０】
図４に示されるとおり、第２の給水路５６は原水路５０から分岐している。第２の弁１８は、第２の給水路５６、第１の連通路５１、および、第４の流入口４６を連通する。第２の弁１８は、第１の連通路５１から第４の流入口４６、および、第２の給水路５６から第４の流入口４６のいずれかに流路を切替可能である。
【００５１】
第２の切替器２７が逆電モードのとき、第４の水槽４５において、原水の酸化反応が生じる。すなわち、［２］式〜［４］式に示される化学反応が生じ、第４の水槽４５において酸性水が生成される。このため、第４の水槽４５に付着しているスケールが酸性水に溶解し、スケールが除去される。
【００５２】
（変形例）
上記各実施の形態に関する説明は本発明に従う水処理装置が取り得る形態の例示であり、その形態を制限することを意図していない。本発明に従う水処理装置は実施の形態以外に例えば以下に示される上記各実施の形態の変形例、および、相互に矛盾しない少なくとも２つの変形例が組み合わせられた形態を取り得る。
【００５３】
・原水の作成方法は、任意に変更可能である。第１の例では、井戸水またはミネラルウォーターを浄水部２１により浄水し、浄水された原水を水処理装置１０に供給する。第２の例では、浄水部２１を省略して、水道水を原水として水処理装置１０に直接的に供給する。
【００５４】
・原水に電解質を添加する添加部を、水処理装置１０に付加できる。添加部は、例えば浄水部２１から吐出された原水に、電解質の一例である塩を添加する。添加された塩が水中でナトリウムイオンＮａ＋および塩化物イオンＣｌ−となるため、原水の電気分解が促進される。このため、生成されるアルカリ性水のｐＨが高められやすい。
【００５５】
・実施の形態３において、第１の弁１７を設けなくともよい。第２の切替器２７が絶縁モードのとき、第２の水路５４および第１の管６１からアルカリ性水を吐出することができる。
【００５６】
・実施の形態３の第１の切替器２６を逆電モードに設定し、第２の水槽３５において酸性水を生成してもよい。原水が通過する第２の水槽３５においても、長期間経過するとスケールが付着することがある。生成した酸性水により第２の水槽３５に付着したスケールを除去することができる。また、実施の形態３および実施の形態４の構成を組み合わせて、第２の水槽３５および第４の水槽４５に付着したスケールを同時に除去することもできる。
【産業上の利用可能性】
【００５７】
本発明の一形態に従う水処理装置は、構成要素を化学的に損傷しにくく装置の寿命を延ばすことが可能となるため、多量の水を使用、または、構成要素を補修しにくい家電製品に適用できる。
【符号の説明】
【００５８】
１０  ：水処理装置
１０Ａ：水処理装置
１０Ｂ：水処理装置
１０Ｃ：水処理装置
３１  ：第１の水槽
３４  ：第１の電極
３５  ：第２の水槽
３８  ：第２の電極
４１  ：第３の水槽
４４  ：第３の電極
４５  ：第４の水槽
４８  ：第４の電極
４９  ：イオン交換膜
５０  ：原水路
５１  ：第１の連通路
５１Ａ：第１の連通路
５２  ：第１の水路
５４  ：第２の水路
【図１】
0006528326.tif 000006
【図２】
0006528326.tif 000007
【図３】
0006528326.tif 000008
【図４】
0006528326.tif 000009